(57)【要約】【課題】浴室暖房機の運転モードに応じた照明器の制御でリラクゼーション効果を高められるようにした照明器付き浴室暖房機を提供する。【解決手段】浴室暖房機３に、照明光の色を可変する機能を持つ照明器１２を設ける。照明光の色が浴室暖房機３の暖房運転時には例えば暖色系になり、涼風運転時には例えば寒色系になるように、浴室暖房機３の運転モードに応じて照明光の色を変化させる。また、照明器１２は、浴室の間接照明が行われるように浴室暖房機３に配置される。【選択図】図２
2007032881.tif 000002
【特許請求の範囲】
【請求項１】
浴室を照明する照明器を具備する浴室暖房機において、
照明器は照明光の色を可変する機能を持つものに構成され、浴室暖房機の運転モードに応じて照明光の色を変化させることを特徴とする照明器付き浴室暖房機。
【請求項２】
前記照明器は、浴室を間接照明するように配置されていることを特徴とする請求項１記載の照明器付き浴室暖房機。
【発明の詳細な説明】
【技術分野】
【０００１】
本発明は、浴室を照明する照明器を具備する照明器付き浴室暖房機に関する。
【背景技術】
【０００２】
従来、浴室暖房機の浴室内に露出するフロントパネル内に蛍光灯等の照明器を組み込んで浴室を照明できるようにした照明器付き浴室暖房機は知られている(例えば、特許文献１参照)。
【０００３】
ここで、浴室暖房機は、循環ファンと熱源と換気ファンとを内蔵しており、浴室内の空気を熱源により加熱しつつ循環ファンにより循環させて浴室を暖房する暖房運転と、熱源を作動させずに循環ファンと換気ファンとを作動させて、湿気を屋外に排出しながら浴室に非加熱の空気を送風する涼風運転と、熱源、循環ファン及び換気ファンを作動させ、湿気を屋外に排出しながら浴室に加熱空気を送風する乾燥運転と、換気ファンのみを作動させる換気運転といった各種モードでの運転を行うことが可能になっている。
【０００４】
ところで、入浴中のリラクゼーション効果を高めるには、浴室の照明も重要な役割を果たす。然し、上記従来の照明器付き浴室暖房機の照明器は浴室を単純に照明するものであり、リラクゼーション効果を高めるための工夫は施されていない。
【特許文献１】実用新案登録第２５２１７５２号公報
【発明の開示】
【発明が解決しようとする課題】
【０００５】
本発明は、以上の点に鑑み、浴室暖房機の運転モードに応じた照明器の制御でリラクゼーション効果を高められるようにした照明器付き浴室暖房機を提供することをその課題としている。
【課題を解決するための手段】
【０００６】
上記課題を解決するために、本発明は、浴室を照明する照明器を具備する浴室暖房機において、照明器は照明光の色を可変する機能を持つものに構成され、浴室暖房機の運転モードに応じて照明光の色を変化させることを特徴とする。
【０００７】
本発明によれば、照明光の色を浴室暖房機の運転モードが暖房運転モードであるときは例えば暖色系にし、涼風運転モードであるときは例えば寒色系にすることができる。従って、暖房運転時には暖色系の照明により暖かみを、また、涼風運転時には寒色系の照明により涼しさを視覚的にも与えることができ、リラクゼーション効果が高められる。
【０００８】
ここで、照明器は、浴室を間接照明するように配置されていることが望ましい。これによれば、浴室が柔らかく照明されることになり、リラクゼーション効果が一層向上する。
【発明を実施するための最良の形態】
【０００９】
図１を参照して、１は浴室、２は浴室１に配置した浴槽を示している。浴室１の天井１ａには浴室暖房機３が配置されている。浴室暖房機３は、図２に示す如く、天井１ａに開設した開口を通して天井裏に埋め込まれる本体ケース４と、浴室１内に露出する本体ケース４の下面に装着されるフロントパネル５とを備えている。フロントパネル５には、格子状の吸込み口６と、吹出し口７とが形成され、吹出し口７には風向きを変化させる可動ルーバー８が設けられている。本体ケース４には、浴室１内の空気を吸込み口６から吸込んで吹出し口７から浴室１内に送風する循環ファン９と、吸込み口６から吸込まれた空気を加熱する熱源としての放熱器１０とが内蔵されている。放熱器１０には、図外の熱源機から温水が供給される。また、本体ケース４内には、更に、吸込み口６から吸込んだ空気を屋外に排気する換気ファン(図示せず)が設けられている。
【００１０】
浴室１の壁面にはリモートコントローラ１１が設置されている。そして、浴室暖房機３は、リモートコントローラ１１の操作に応じ暖房運転、涼風運転、乾燥運転、換気運転といった各種運転モードで運転される。暖房運転モードでは、放熱器１０に温水を供給した状態で循環ファン９を作動させ、浴室１内の空気を放熱器１０により加熱しつつ循環ファン９により循環させて浴室１を暖房する。涼風運転モードでは、放熱器１０に温水を供給せずに循環ファン９と換気ファンとを作動させ、湿気を屋外に排出しながら浴室１に非加熱の空気を送風する。乾燥運転モードでは、放熱器１０に温水を供給した状態で循環ファン９と換気ファンとを作動させ、湿気を屋外に排出しながら浴室１に加熱された空気を送風する。換気運転モードでは、換気ファンのみを作動させ、浴室１の換気を行う。
【００１１】
また、浴室１内に露出する本体ケース４の下端部外周面には照明器１２が配置されている。そして、照明器１２の配置部をフロントパネル５により下方から目隠ししている。そのため、照明器１２からの照明光は、図１、図２のドットを付した範囲に照射され、浴室１の天井面や側壁面を介しての間接照明が行われる。これにより、浴室１が柔らかく照明され、入浴中のリラクゼーション効果が高められる。
【００１２】
ここで、照明器１２は、赤色ＬＥＤ、青色ＬＥＤ及び緑色ＬＥＤから成る多数のＬＥＤ１２ａで構成される。従って、各色のＬＥＤ１２ａの光量をＰＷＭ制御等で可変制御することにより照明光の色を任意に変化できる。そして、リモートコントローラ１１に照明光の色を自動的に変化させる制御を行わせる自動変色スイッチ(図示せず)を設け、自動変色スイッチがオンされたときは、浴室暖房機３に備えるコントローラ(図示せず)により、浴室暖房機３の運転モードに応じて照明光の色を変化させるようにしている。
【００１３】
次に、図３を参照して、照明光の色を変化させる制御について説明する。この制御では、先ず、Ｓ１のステップで自動変色スイッチがオンされたか否かを判別し、オンされたときは、Ｓ２のステップで現在の運転モードが暖房運転モードであるか否かを判別する。そして、暖房運転モードであるときは、Ｓ４のステップに進み、赤色ＬＥＤの光量を大きくして他色のＬＥＤの光量を小さくする。これによれば、照明光の色が赤みがかった暖色系の色になる。
【００１４】
暖房運転モードでなければ、Ｓ３のステップで現在の運転モードが涼風運転モードであるか否かを判別する。そして、涼風運転モードであるときは、Ｓ５のステップに進み、青色ＬＥＤの光量を大きくして他色のＬＥＤの光量を小さくする。これによれば、照明光の色が青みがかった寒色系の色になる。かくして、入浴者に対し、暖房運転時には暖色系の照明により暖かみを、また、涼風運転時には寒色系の照明により涼しさを視覚的にも与えることができ、リラクゼーション効果が高められる。
【００１５】
自動変色スイッチがオフの場合や運転モードが暖房運転モード及び涼風運転モードの何れでもない場合は、Ｓ６のステップに進み、赤、青、緑の各色のＬＥＤの光量を等しくし、照明光の色を白色にする。
【００１６】
尚、浴室暖房器には、浴室内に噴霧ヘッドから温水ミストを噴霧するミスト運転を行い得られるようにする機種もある。このような機種の浴室暖房機では、ミスト運転時に緑色ＬＥＤの光量を大きくして、照明光の色を森林浴気分を味わえる緑がかった色にしても良い。
【００１７】
以上、本発明の実施形態を図面を参照して説明したが、本発明はこれに限定されない。例えば、上記実施形態では、浴室暖房機３を天井埋め込み型としているが、壁掛け型の浴室暖房機にも同様に本発明を適用できる。この場合、浴室の天井面に対向する浴室暖房機の本体ケースの上面に照明器を配置し、間接照明を行うことができるようにする。また、上記実施形態では、照明器１２を赤、青、緑の３色のＬＥＤ１２ａで構成し、各色のＬＥＤ１２ａの光量を変化させることで照明光の色を可変しているが、各色に着色した複数の電球や蛍光灯で照明器１２を構成し、浴室暖房機の運転モードに応じて各色の電球や蛍光灯を選択的に点灯させることにより照明光の色を変化させることも可能である。
【図面の簡単な説明】
【００１８】
【図１】本発明の実施形態の浴室暖房機を設置した浴室を示す図。
【図２】実施形態の浴室暖房機の拡大縦断面図。
【図３】照明光の色を変化させる制御を示すフロー図。
【符号の説明】
【００１９】
１…浴室、３…浴室暖房機、４…浴室暖房機の本体ケース、５…浴室暖房機のフロントパネル、１２…照明器、１２ａ…ＬＥＤ。
【図１】
2007032881.tif 000003
【図２】
2007032881.tif 000004
【図３】
2007032881.tif 000005